(57)【要約】【課題】  施術者の施術時間を正確かつ容易に把握する。【解決手段】  施術時間管理システム１は、施術が行われる被施術者である患者Ｐが、当該施術が行われる施術場所であるチェア１００に座ったことを検知する圧力センサ１０と、圧力センサ１０による検知が行われた際に、チェア１００に応じた位置の撮像を行うカメラ２０と、サーバ４０とを備える。サーバ４０は、撮像された画像から施術を行う施術者である歯科医師Ｄを特定する特定部４２と、圧力センサ１０による検知が行われた時間、又は歯科医師Ｄが特定された画像が撮像された時間である稼働時間（施術時間）を示す情報を、特定された歯科医師Ｄに対応付けて記憶する施術時間管理部４３とを備える。【選択図】  図１
2019133293.tif 000002
【特許請求の範囲】
【請求項１】
施術が行われる被施術者が、当該施術が行われる施術場所に位置したことを検知する検知手段と、
前記検知手段による検知が行われた際に、前記施術場所に応じた位置の撮像を行う撮像手段と、
前記撮像手段によって撮像された画像から前記施術を行う施術者を特定する特定手段と、
前記検知手段による検知が行われた時間、又は前記特定手段によって施術者が特定された画像が前記撮像手段によって撮像された時間を示す情報を、施術を行った施術時間を示す情報として、前記特定手段によって特定された施術者を示す情報に対応付けて記憶する施術時間管理手段と、
を備える施術時間管理システム。
【請求項２】
前記特定手段は、前記撮像手段によって撮像された画像から前記被施術者を特定し、
前記施術時間管理手段は、前記施術時間を示す情報を前記特定手段によって特定された施術者及び被施術者を示す情報に対応付けて記憶する、請求項１に記載の施術時間管理システム。
【請求項３】
前記施術時間管理手段は、施術者の施術の予定時間を示す情報を入力して、当該施術者を示す情報に対応付けて記憶した情報によって示される施術時間と当該予定時間とを比較して、比較結果を記憶する請求項１又は２に記載の施術時間管理システム。
【請求項４】
前記施術場所は、施術用のチェアであり、
前記検知手段は、前記施術用のチェアに設けられた圧力センサである、請求項１〜３の何れか一項に記載の施術時間管理システム。
【発明の詳細な説明】
【技術分野】
【０００１】
本発明は、施術者の施術に係る施術時間を管理する施術時間管理システムに関する。
【背景技術】
【０００２】
従来から、勤務者の勤務時間を管理するシステムが提案されている。例えば、特許文献１には、勤務者が入力した勤務時間を管理するシステムが示されている。
【先行技術文献】
【特許文献】
【０００３】
【特許文献１】特開２０１２−７３９８７号公報
【発明の概要】
【発明が解決しようとする課題】
【０００４】
歯科医院においては、患者から予約希望があったとき、患者の希望日時、次回の治療内容、チェア（治療ブース）の空き具合、及び歯科医師のスケジュール等に基づいて、次回の治療日時が決められる。その患者にどのくらい時間を割り当てるのかは歯科医師の判断に委ねられる。従って、本来なら３０分でできる治療にもかかわらず、とりあえずチェアを６０分確保しておくということが起こっている。空いた３０分間は誰もチェアを使っていない状態となり、これでは設備の効率的使用ができない。また、歯科医師自身の時間管理及び仕事効率の意識が育たない。
【０００５】
歯科医師がどの程度の時間を実際の治療に用いたかを、特許文献１に示されるように歯科医師自身にシステムに入力させて、治療時間を管理することも考えられる。しかしながら、歯科医師自身によるシステムへの入力は手間であり、また、入力された治療時間が正確であるとは限らない。
【０００６】
本発明は、上記に鑑みてなされたものであり、歯科医師の治療時間等の施術者の施術時間を正確かつ容易に把握することができる施術時間管理システムを提供することを目的とする。
【課題を解決するための手段】
【０００７】
上記目的を達成するために、本発明に係る施術時間管理システムは、施術が行われる被施術者が、当該施術が行われる施術場所に位置したことを検知する検知手段と、検知手段による検知が行われた際に、施術場所に応じた位置の撮像を行う撮像手段と、撮像手段によって撮像された画像から施術を行う施術者を特定する特定手段と、検知手段による検知が行われた時間、又は特定手段によって施術者が特定された画像が撮像手段によって撮像された時間を示す情報を、施術を行った施術時間を示す情報として、特定手段によって特定された施術者を示す情報に対応付けて記憶する施術時間管理手段と、を備える。
【０００８】
本発明に係る施術時間管理システムでは、被施術者が施術場所に位置したことが検知されて撮像が行われ、撮像された画像から施術者が特定される。また、検知又は撮像に応じた施術時間を示す情報と特定された施術者を示す情報とが対応付けて記憶される。このように、本発明に係る施術時間管理システムにおける施術者毎の施術時間は、自動的（機械的）に特定されると共に、検知又は撮像に応じた時間という施術時間として適切なものとなっている。これにより、本発明に係る施術時間管理システムによれば、施術時間を正確かつ容易に把握することができる。
【０００９】
特定手段は、撮像手段によって撮像された画像から被施術者を特定し、施術時間管理手段は、施術時間を示す情報を特定手段によって特定された施術者及び被施術者を示す情報に対応付けて記憶する、こととしてもよい。この構成によれば、施術者及び被施術者毎の施術時間を把握することができる。
【００１０】
施術時間管理手段は、施術者の施術の予定時間を示す情報を入力して、当該施術者を示す情報に対応付けて記憶した情報によって示される施術時間と当該予定時間とを比較して、比較結果を記憶することとしてもよい。この構成によれば、施術者の予定時間と実際の施術時間との比較結果を正確かつ容易に把握することができる。
【００１１】
施術場所は、施術用のチェアであり、検知手段は、施術用のチェアに設けられた圧力センサである、こととしてもよい。この構成によれば、適切かつ確実に本発明を実施することができる。
【発明の効果】
【００１２】
本発明における施術者毎の施術時間は、自動的（機械的）に特定されると共に、検知又は撮像に応じた時間という施術時間として適切なものとなっている。これにより、本発明によれば、施術時間を正確かつ容易に把握することができる。
【図面の簡単な説明】
【００１３】
【図１】本発明の実施形態に係る施術時間管理システムの構成を示す図である。
【図２】予定時間及び実際の稼働時間を示す情報の例である。
【図３】本発明の実施形態に係る施術時間管理システムで実行される処理を示すフローチャートである。
【発明を実施するための形態】
【００１４】
以下、図面と共に本発明に係る施術時間管理システムの実施形態について詳細に説明する。なお、図面の説明においては同一要素には同一符号を付し、重複する説明を省略する。また、図面の寸法比率は、説明のものと必ずしも一致していない。
【００１５】
図１に本実施形態に係る施術時間管理システム１を示す。施術時間管理システム１は、歯科医院において、施術者である歯科医師Ｄが、被施術者である患者Ｐに対して施術を行った（施術に費やした）施術時間である稼働時間を把握するためのものである。歯科医院においては通常、患者Ｐが施術場所である施術用のチェア（歯科用ユニットチェア、治療ブース）１００に座った状態で、歯科医師Ｄはチェア１００の傍に立ってあるいは座って患者Ｐに対する施術を行う。本実施形態における施術は、患者Ｐがチェア１００に座った状態で、歯科医師Ｄが患者Ｐに対する診察、治療、及び治療に関する説明等を行うことである。本実施形態における歯科医師Ｄの稼働時間は、当該施術を行った時間である。本実施形態に係るチェア１００としては、従来のチェアを用いることができる。
【００１６】
図１に示すように、施術時間管理システム１は、圧力センサ１０と、カメラ２０と、制御用コンピュータ３０と、サーバ４０とを備えて構成される。
【００１７】
圧力センサ１０は、患者Ｐがチェア１００に位置したことを検知する検知手段である。具体的には、圧力センサ１０は、患者Ｐがチェア１００に座ったことを検知する。圧力センサ１０としては、従来の圧力センサを用いることができる。圧力センサ１０は、患者Ｐが座った際に圧力がかかるチェア１００の予め設定された部分に設置される。例えば、図１に示すように、チェア１００のシート１１０における患者Ｐが腰掛ける部分の下側（裏側）に設けられる。
【００１８】
圧力センサ１０は、制御用コンピュータ３０と有線で接続されており、制御用コンピュータ３０に情報（信号）を送信することができる。圧力センサ１０は、継続的に圧力を検出する。圧力センサ１０は、例えば、患者Ｐ（人）がチェア１００に座ったとすることができる予め設定された閾値以上の圧力を検出した場合に制御用コンピュータ３０にその旨（即ち、患者Ｐがチェアに座った旨）の信号を送信する。また、圧力センサ１０は、当該閾値以上の圧力を検出しなくなった場合に制御用コンピュータ３０にその旨（即ち、患者Ｐがチェアから降りた旨）の信号を送信する。
【００１９】
カメラ２０は、圧力センサ１０による検知が行われた際に撮像を行う撮像手段である。カメラ２０としては、従来のカメラを用いることができる。カメラ２０は、チェア１００に応じた位置の撮像を行えるように設置される。具体的には、カメラ２０は、歯科医師Ｄが患者Ｐの施術を行う際に歯科医師Ｄ及び患者Ｐの顔を撮像できる箇所に設置される。例えば、カメラ２０は、チェア１００の患者Ｐの口内を照らすライト１２０を支持する棒状の部材１３０に歯科医師Ｄ及び患者Ｐに向けて撮像が行えるように固定される。
【００２０】
カメラ２０は、制御用コンピュータ３０と有線で接続されており、制御用コンピュータ３０との間で情報（信号）を送受信することができる。カメラ２０は、制御用コンピュータ３０から撮像のタイミングの制御を受ける。カメラ２０は、圧力センサ１０による検知をトリガとして制御用コンピュータ３０から撮像を開始する旨の信号を受信して撮像を開始する。また、カメラ２０は、制御用コンピュータ３０から撮像を終了する旨の信号を受信して撮像を終了する。カメラ２０は、撮像の開始から終了まで継続的に撮像を行う。例えば、カメラ２０は、動画として撮像を行ってもよいし、一定時間毎（例えば、数秒、数十秒毎）に撮像を行ってもよい。カメラ２０は、撮像した画像を制御用コンピュータ３０に送信する。
【００２１】
カメラ２０によって撮像された画像は、施術（診察、治療及び説明）の記録のためにサーバ４０あるいはその他の記録用の装置に記憶されてもよい。また、施術の記録のため、撮像に加えて、マイク等によって録音も行って、録音したデータも画像とあわせて記憶されてもよい。即ち、施術時間管理システム１は、トリートメントレコーダとしての機能を有していてもよい。
【００２２】
制御用コンピュータ３０は、情報の中継、及びカメラの制御等を行う装置である。制御用コンピュータ３０としては、ＣＰＵ（Central Processing Unit）、メモリ及び通信モジュール等を備える従来の小型のコンピュータ（例えば、シングルボードコンピュータ）を用いることができる。制御用コンピュータ３０の機能は、これらの構成要素がプログラム等により動作することによって発揮される。上述したように制御用コンピュータ３０は、圧力センサ１０及びカメラ２０それぞれと有線で接続されており、それらとの間で情報（信号）を送受信することができる。なお、制御用コンピュータ３０と、圧力センサ１０及びカメラ２０との間は、有線ではなく、近距離無線通信等によって無線で接続されていてもよい。また、制御用コンピュータ３０は、サーバ４０と無線で接続されており、サーバ４０との間で情報（信号）を送受信することができる。なお、制御用コンピュータ３０と、サーバ４０との間は、無線ではなく、有線で接続されていてもよい。
【００２３】
制御用コンピュータ３０は、圧力センサ１０から、患者Ｐがチェア１００に座った旨の信号を受信する。当該信号を受信すると、制御用コンピュータ３０はカメラ２０に撮像を開始する旨の信号を送信する。また、制御用コンピュータ３０は、圧力センサ１０から、患者Ｐがチェア１００から降りた（患者Ｐがチェア１００に座っていない状態となった）旨の信号を受信する。当該信号を受信すると、制御用コンピュータ３０はカメラ２０に撮像を終了する旨の信号を送信する。
【００２４】
なお、圧力センサ１０が患者Ｐのチェアの座った状態を検知するのではなく、圧力センサ１０は検出した圧力を示す情報（圧力の数値）を制御用コンピュータ３０に送信し、制御用コンピュータ３０はその圧力に基づいて、患者Ｐのチェアの座った状態を検知してもよい。例えば、圧力が上記の閾値以上となった場合には、患者Ｐがチェア１００に座ったと判断し、圧力が上記の閾値以上から閾値未満となった場合には、患者Ｐがチェア１００に座っていない状態になったと判断する。
【００２５】
また、制御用コンピュータ３０は、圧力センサ１０から、患者Ｐがチェア１００に座った旨の信号を受信するとサーバ４０にその旨の情報を送信し、圧力センサ１０から、患者Ｐがチェア１００から降りた旨の信号を受信するとサーバ４０にその旨の情報を送信する。これにより、サーバ４０では、患者Ｐがチェア１００に座っている時間を算出（特定）することができる。なお、制御用コンピュータ３０が、患者Ｐがチェア１００に座っている時間を算出して、サーバ４０に算出した時間を示す情報を送信してもよい。
【００２６】
制御用コンピュータ３０は、カメラ２０から画像を受信する。制御用コンピュータ３０は、受信した画像をサーバ４０に送信する。歯科医院に複数のチェア１００が設けられている場合には、チェア１００毎に圧力センサ１０、カメラ２０及び制御用コンピュータ３０が設けられる。その場合、制御用コンピュータ３０が画像をサーバ４０に送信する場合には、制御用コンピュータ３０毎に設定されたＩＤを画像に付与する等して、どの制御用コンピュータ３０（即ち、どのチェア１００）から送信された画像であるかを識別できるようにしておく。
【００２７】
サーバ４０は、歯科医師Ｄの稼働時間を算出、管理する装置である。サーバ４０としては、ＣＰＵ、メモリ及び通信モジュール等のハードウェアを備える従来のＰＣ（パーソナルコンピュータ）又はサーバ装置等を用いることができる。サーバ４０の後述する各機能は、これらの構成要素がプログラム等により動作することによって発揮される。なお、サーバ４０は、一つのコンピュータで実現されてもよいし、複数のコンピュータがネットワークにより互いに接続されて構成されるコンピュータシステムにより実現されていてもよい。図１に示すように、サーバ４０は、機能的には、受信部４１と、特定部４２と、施術時間管理部４３とを備えて構成される。
【００２８】
受信部４１は、制御用コンピュータ３０から情報を受信する手段である。受信部４１は、カメラ２０によって撮像された画像を受信する。受信部４１は、受信した画像を特定部４２に出力する。また、受信部４１は、患者Ｐがチェア１００に座っている時間を算出するための情報を受信する。受信部４１は、当該情報を施術時間管理部４３に出力する。施術時間管理システム１では、撮像された画像と患者Ｐがチェア１００に座っている時間との対応をサーバ４０において把握できるようにしておく。例えば、制御用コンピュータ３０とサーバ４０との間でそれぞれの情報及び画像が、制御用コンピュータ３０毎に設定されたＩＤと共にリアルタイムで送受信されるようにする。
【００２９】
特定部４２は、カメラ２０によって撮像された画像から施術を行う歯科医師Ｄを特定する特定手段である。また、特定部４２は、カメラ２０によって撮像された画像から患者Ｐを特定してもよい。具体的には、特定部４２は、以下のように歯科医師Ｄ及び患者Ｐを特定する。
【００３０】
特定部４２は、受信部４１からカメラ２０によって撮像された画像を入力する。特定部４２は、入力した画像から、歯科医師Ｄ及び患者Ｐの顔認識を行って歯科医師Ｄ及び患者Ｐを特定する。顔認識は、従来の技術によって行うことができる。顔認識のため、特定部４２は、認識対象となる歯科医師Ｄ及び患者Ｐの顔の特徴を示す情報を予め記憶しておく。当該情報は、例えば、顔認識以前に予め認識対象となる歯科医師Ｄ及び患者Ｐの顔を撮像して取得される。特定部４２は、受信部４１から入力した画像に対する顔認識を行って、顔の特徴を示す情報を予め記憶している歯科医師Ｄ及び患者Ｐの中から当該画像に写っている歯科医師Ｄ及び患者Ｐを特定する。特定部４２は、特定した歯科医師Ｄ及び患者Ｐを示す情報、例えば、予め設定された歯科医師Ｄ及び患者ＰのＩＤを施術時間管理部４３に出力する。特定部４２は、入力した各画像から、歯科医師Ｄ及び患者Ｐの特定ができなかった場合には、その旨を施術時間管理部４３に通知する。
【００３１】
施術時間管理部４３は、歯科医師Ｄの稼働時間を管理する施術時間管理手段である。施術時間管理部４３は、歯科医師Ｄの稼働時間を算出（特定）して、稼働時間を示す情報を当該稼働時間に係る特定部４２によって特定された歯科医師Ｄを示す情報に対応付けて記憶する。施術時間管理部４３は、圧力センサ１０による検知が行われた時間、又は特定部４２によって歯科医師Ｄが特定された画像がカメラ２０によって撮像された時間を歯科医師Ｄが施術を行った稼働時間として算出する。特定部４２によって患者Ｐが特定されている場合には、施術時間管理部４３は、稼働時間を示す情報を特定された歯科医師Ｄ及び患者Ｐを示す情報に対応付けて記憶する。
【００３２】
施術時間管理部４３は、歯科医師Ｄの施術の予定時間も管理する。施術時間管理部４３は、歯科医師Ｄの施術の予定時間を示す情報を入力して、当該歯科医師Ｄを示す情報に対応付けて記憶した情報によって示される稼働時間と当該予定時間とを比較して、比較結果を記憶する。具体的には、施術時間管理部４３は、以下の機能を有する。
【００３３】
施術時間管理部４３は、受信部４１から、患者Ｐがチェア１００に座っている時間を算出するための情報を入力する。施術時間管理部４３は、当該情報から患者Ｐがチェア１００に座っている時間を算出して、当該時間を歯科医師Ｄの稼働時間とする。この際、施術時間管理部４３は、稼働時間の時間帯を特定してもよい。なお、上述したように当該算出は、制御用コンピュータ３０によって行われてもよい。また、圧力センサ１０によって患者Ｐのチェアの座っている状態が検知されている時間は、カメラ２０によって撮像が行われている時間と一致するため、施術時間管理部４３は、カメラ２０による撮像時間（画像が取得された時間）を稼働時間とすることとしてもよい。
【００３４】
施術時間管理部４３は、特定部４２から画像から特定された歯科医師Ｄ及び患者Ｐを示す情報を入力する。施術時間管理部４３は、入力した歯科医師Ｄ及び患者Ｐを示す情報と上記のように特定した歯科医師Ｄの稼働時間とを対応付けて記憶する。稼働時間に対応付けられる歯科医師Ｄは、例えば、撮像された画像のうち、予め設定された一定の割合以上の画像から特定された歯科医師Ｄとする。記憶された情報は、施術時間管理システム１のユーザ（例えば、歯科医師Ｄの管理者）によって参照される。
【００３５】
患者Ｐがチェア１００に座っていても、その時間全てで歯科医師Ｄが施術を行っているとは限らない。そこで、施術時間管理部４３は、特定部４２から入力した歯科医師Ｄ及び患者Ｐを示す情報に基づき、歯科医師Ｄがカメラ２０によって撮像された時間（歯科医師Ｄが特定された画像がカメラ２０によって撮像された時間）を歯科医師Ｄの稼働時間として算出してもよい。例えば、特定部４２は、時刻毎の画像から歯科医師Ｄ及び患者Ｐの特定を行う。施術時間管理部４３は、歯科医師Ｄ及び患者Ｐの両方の特定が行えた時刻を歯科医師Ｄの稼働時間とし、歯科医師Ｄ及び患者Ｐの両方の特定が行えなかった時刻を歯科医師Ｄの稼働時間としない。施術時間管理部４３は、これらを集計して稼働時間を算出する。患者Ｐの特定を行わない場合には、歯科医師Ｄの特定が行えた時刻を歯科医師Ｄの稼働時間とすることとしてもよい。
【００３６】
施術時間管理部４３は、歯科医師Ｄ等の入力操作を受け付けて施術の予定時間（稼働時間の予定）を示す情報を入力する。施術の予定時間を示す情報は、例えば、施術を行う時間帯、施術を行うチェア１００、施術を行う歯科医師Ｄ及び施術を受ける（予約をした）患者Ｐを示す情報が対応付けられた情報である。予定時間は、例えば、歯科医師Ｄ及び日毎にまとめて管理される。予定時間を示す情報の例を図２の「Ｘ先生（予定）」の部分に示す。施術の予定時間を示す情報の入力及び管理は、従来のスケジュール管理のソフトウェアによって行うことができる。
【００３７】
施術時間管理部４３は、歯科医師Ｄ毎に、歯科医師Ｄの施術の予定時間と、圧力センサ１０による検出及びカメラ２０による画像に基づいて上記のように特定された当該歯科医師Ｄの実際の稼働時間とを比較する。実際の稼働時間を示す情報の例を図２の「Ｘ先生（実際）」の部分に示す。施術時間管理部４３は、例えば日単位で、歯科医師Ｄの施術の予定時間の合計と実際の稼働時間の合計とをそれぞれ算出する。施術時間管理部４３は、算出した予定時間の合計と実際の稼働時間の合計との比（稼働時間（実際）／稼働時間（予定））を取る。例えば、図２に示すように稼働時間（予定）の合計が７ｈ３０ｍであり、稼働時間（実際）の合計が６ｈ００ｍであれば、上記の比は６ｈ００ｍ／７ｈ３０ｍとなる。施術時間管理部４３は、比較結果の情報である上記の比の値を、歯科医師Ｄを示す情報に対応付けて記憶する。記憶された情報は、施術時間管理システム１のユーザ（例えば、歯科医師Ｄの管理者）によって参照される。
【００３８】
上記の比の値は、歯科医師Ｄの施術の予定に対して、どの程度実際に施術が行われているかを示すものである。比の値が１に近い値であるほど予定と実際の稼働時間とが近いことを示している。比の値が１より小さく０に近い値であるほど実際の稼働時間が予定よりも短いことを示している。比の値が１より大きい値であるほど実際の稼働時間が予定よりも長いことを示している。以上が、本実施形態に係る施術時間管理システム１の構成である。
【００３９】
引き続いて、図３のフローチャートを用いて、本実施形態に係る施術時間管理システム１で実行される処理（施術時間管理システム１が行う動作方法）を説明する。本処理では、まず、圧力センサ１０によって、患者Ｐがチェア１００に座ったことが検知される（Ｓ０１）。圧力センサ１０による検知に応じて、カメラ２０による撮像が行われる（Ｓ０２）。撮像された画像は、カメラ２０から制御用コンピュータ３０を経由してサーバ４０に送信される。また、圧力センサ１０の検出に基づく、患者Ｐがチェア１００に座っている時間を算出するための情報が制御用コンピュータ３０からサーバ４０に送信される。
【００４０】
サーバ４０では、受信部４１によって、上記の画像及び情報が受信される。続いて、特定部４２によって、画像から歯科医師Ｄ及び患者Ｐが特定される（Ｓ０３）。一方で、施術時間管理部４３によって、患者Ｐがチェア１００に座っている時間を算出するための情報から歯科医師Ｄの稼働時間が算出される。続いて、施術時間管理部４３によって、算出された稼働時間と特定された歯科医師Ｄ及び患者Ｐとが対応付けられて記憶される（Ｓ０４）。
【００４１】
サーバ４０では、予め（例えば、Ｓ０１以前に）施術時間管理部４３によって、歯科医師Ｄ等の入力操作が受け付けられて歯科医師Ｄの施術の予定時間が入力されて記憶されている（図示せず）。施術時間管理部４３によって、記憶された当該予定時間と上記のように算出された実際の稼働時間とが比較される。施術時間管理部４３によって、比較結果が記憶される（Ｓ０５）。サーバ４０に記憶された情報は、施術時間管理システム１のユーザ（例えば、歯科医師Ｄの管理者）によって歯科医師Ｄの管理等のために参照される。以上が、本実施形態に係る施術時間管理システム１で実行される処理である。
【００４２】
上述したように本実施形態では、患者Ｐがチェア１００に座ったことが検知されて撮像が行われ、撮像された画像から歯科医師Ｄが特定される。また、検知又は撮像に応じた稼働時間を示す情報と特定された歯科医師Ｄを示す情報とが対応付けて記憶される。このように、本発明に係る施術時間管理システム１における稼働時間は、自動的（機械的）に特定されると共に、検知又は撮像に応じた時間という稼働時間として適切なものとなっている。これにより、本実施形態によれば、稼働時間を正確かつ容易に把握することができる。
【００４３】
また、本実施形態のように、撮像された画像から患者Ｐも特定して、稼働時間に患者Ｐを示す情報も対応付けて記憶することとしてもよい。この構成によれば、歯科医師Ｄ及び患者Ｐ毎の稼働時間を把握することができる。但し、本発明では、必ずしも、患者Ｐ及び患者Ｐ毎の稼働時間の特定を行う必要はない。
【００４４】
また、本実施形態のように施術の予定時間と実際の稼働時間との比較を行うこととしてもよい。この構成によれば、予定時間と実際の稼働時間との比較結果を正確かつ容易に把握することができる。具体的には、上述したように比の値を算出することで、予定時間と実際の稼働時間との相違が数値で明らかになるので、歯科医師Ｄ自身の時間管理及び仕事効率の意識が育つ。施術の予定時間は、チェア１００が歯科医師Ｄによって患者Ｐのために予約されたチェア占有時間であり、他の歯科医師Ｄ及び患者Ｐがチェア１００を使用することができない時間である。そのため、予定時間が実際の稼働時間よりも長ければ、チェア１００の効率的使用ができていないこととなる。上記のように予定と実際とを比較することで、チェア１００が施術に用いられていない、即ち、遊んでいる時間が明確になるのでチェア１００の効率的使用が図れる。但し、本発明では、必ずしも、実際の稼働時間を予定時間と比較する必要はない。
【００４５】
また、本実施形態のように、施術が行われる施術場所を施術用のチェア１００とし、圧力センサ１０によって患者Ｐがチェア１００に座ったことを検出する構成としてもよい。この構成によれば、適切かつ確実に本発明を実施することができる。但し、施術場所は、施術用のチェア１００以外の何らかの施術が行われる任意の場所としてもよい。また、患者Ｐが施術場所に位置したことの検出も、施術場所に応じて圧力センサ１０以外の装置が用いられて行われてもよい。
【００４６】
なお、本実施形態では、施術が行われる被施術者を歯科医院の患者、施術を行う施術者を歯科医師Ｄであることとしたが、被施術者及び施術者は本実施形態のものに限られない。例えば、施術者を歯科医院の歯科医師Ｄ以外のスタッフ（例えば、歯科衛生士等）としてもよい。
【符号の説明】
【００４７】
１…施術時間管理システム、１０…圧力センサ、２０…カメラ、３０…制御用コンピュータ、４０…サーバ、４１…受信部、４２…特定部、４３…施術時間管理部、１００…チェア。
【図１】
2019133293.tif 000003
【図２】
2019133293.tif 000004
【図３】
2019133293.tif 000005